(57)【特許請求の範囲】
【請求項１】
扉の一部を貫通して形成された開口に嵌め込まれるドアスコープであって、透光性材料で形成されそれぞれ片端にリブ部を有する本体と蓋体とからなり、前記本体のリブ部から先端方向へ延びる軸部の先端付近に全周にわたって溝が設けられていて、その溝に弾性体からなるＯリングが嵌め込まれており、前記軸部が、前記蓋体のリブ部に連続して形成されている筒部に差し込まれたときに前記Ｏリングによって前記筒部の内壁に密着固定されることを特徴とするドアスコープ。
【請求項２】
前記Ｏリングが透明体で形成されている請求項１記載のドアスコープ。
【請求項３】
前記本体ならびに蓋体のリブ部のうち少なくとも一方がレンズで形成されている請求項１または２記載のドアスコープ。
【発明の詳細な説明】
【０００１】
【発明の属する技術分野】
本発明は、例えばトイレ等、窓を設けない扉に取り付けることによって、室内側の光を室外側へ通過させるドアスコープに関するものである。
【０００２】
【従来の技術】
トイレ等のように窓を設けない従来の扉において、室内が使用中であるかどうかを示す手段としては、室内からサムターン等からなる鍵をかけたときに、室外側の取手の近くに赤等の色表示がされるものが一般的であるが、夜間や暗い場所ではその表示が見えにくく、不便であった。
【０００３】
また、電灯のスイッチボタンに近接して電球等が取り付けられ、室内が点灯されたときにその電球も同時に点灯されるようになっているものがあり、この場合は、スイッチを見れば夜間や暗い場所でも室内が点灯されているかどうかがわかるが、構造がやや複雑であるうえ、室内の様子を直接室外に伝えるものではないため一見してわかりにくく、また、スイッチ部分の電球や配電部が故障した場合には室内の点灯がわからなくなってしまう、という問題があった。
【０００４】
そこで、配線等の工事を行わず、簡単な構造で室内の点灯状態を直接見ることができるように、弊社は、特願平９−３６２５８０号において、扉の一部を貫通して形成された開口に、高透光性材料からなるドアスコープを嵌め込んで、室内側の光を室外側へ透過させることを提案している。
【０００５】
そして、そのドアスコープの形態として、図７（Ａ）に示すように、扉の片側から差し込まれる本体５２ａの先端部に形成された雄ねじ５３ａを、反対側から差し込まれる蓋体５４ａに形成された雌ねじ５５ａに螺合させて取り付けられるものや、または、図７（Ｂ）に示すように、本体５２ｂの軸部５３ｂの先端を蓋体５４ｂの嵌合穴５５ｂに嵌め込んで取り付けられるものが提案されている。
【０００６】
【発明が解決しようとする課題】
しかしながら、図７（Ａ）のドアスコープ５１ａは、本体５２ａおよび蓋体５４ａにそれぞれ雄ねじ５３ａ、雌ねじ５５ａを形成しなければならないために、製造コストが高くつくうえ、取り付けが面倒であった。また、図７（Ｂ）のドアスコープ５１ｂの場合は、通常、製造時の寸法誤差や取付時の施工性を考慮して、嵌合穴５５ｂの内径は軸部５３ｂよりもやや大きめに作られるが、そのため、本体５２ｂと蓋体５４ｂとが密着せず、取付後にぐらつきが生じるという問題を有していた。
【０００７】
【課題を解決するための手段】
そこで、本発明は、扉の一部を貫通して形成された開口に嵌め込まれるドアスコープであって、透光性材料で形成されそれぞれ片端にリブ部を有する本体と蓋体とからなり、本体のリブ部から先端方向へ延びる軸部の先端付近に全周にわたって溝が設けられていて、その溝に弾性体からなるＯリングが嵌め込まれており、軸部が、蓋体のリブ部に連続して形成されている筒部に差し込まれたときにＯリングによって筒部の内壁に密着固定されるものとした。
【０００８】
上記の本発明によれば、扉の内部を、透光性を有するドアスコープを伝って光が伝達されるので、経路の途中における光の拡散ならびに吸収に伴う光量の損失が少なく、十分に光を伝えることが可能であるとともに、小さい開口であっても、厚みを有する扉の室内側から室外側へ光が伝わり、室外側のどの角度からでも高輝度な光を視認することができる。従って、例えばトイレなどのように窓のない扉において、室内が点灯されていることが、夜間または暗所でも室外から確認できる。
【０００９】
そして、本発明のドアスコープは、扉に設けられた開口の片側から本体を、その反対側から蓋体をそれぞれ差し込み、本体の軸部を蓋体の筒部内へ挿入させれば、Ｏリングの弾力性によって容易に差し込むことができ、本体および蓋体のそれぞれのリブ部が扉の両面に接して開口を塞ぐ位置まで軸部を差し込むだけで、Ｏリングが筒部の内壁に密着し、本体と蓋体とが固定される。
【００１０】
また、Ｏリングを透明体で形成すれば、ドアスコープ内で光が遮蔽される部分がなく、多くの光量を透過させることができる。
【００１１】
更に、本体ならびに蓋体のリブ部の少なくとも一方をレンズにすれば、集光されることにより輝度が向上して、光を視認しやすくなる。
【００１２】
【発明の実施の形態】
本発明の実施の形態を図面に基づいて説明する。
【００１３】
図１乃至図３は本発明の実施の形態の一例を示すものであり、本発明のドアスコープ２は、例えばトイレ等のように窓を設けない扉１に取り付けられる。
【００１４】
ドアスコープ２は、扉１の適宜個所、例えば図１に示すように取手３の上方などの視認しやすい位置に嵌め込まれ、図２に示すように本体２１と蓋体２７とからなり、いずれも高透光性材料、例えばファイバースコープを形成する硬質樹脂や石英ガラス等で作られる。そして、扉１を貫通して形成された開口１０の片側、例えば室内側１１から差し込まれる本体２１は、リブ部２２から先端へ向かって軸部２３が延びており、軸部２３の先端付近に全周にわたって溝２４が設けられていて、この溝２４には、透明な弾性体、例えば軟質ポリアミド樹脂等のような弾性を有する合成樹脂からなるＯリング２６が嵌め込まれている。
【００１５】
また、本体２１の反対側、例えば室外側１２から差し込まれる蓋体２７は、リブ部２８に連続して筒部２９が形成されており、筒部２９の内径は、本体２１の軸部２３の径よりも少し大きく形成される。
【００１６】
そして、ドアスコープ２の両端となる本体２１および蓋体２７のリブ部２２，２８は、それぞれレンズによって形成され、光が集光されて視認しやすくされている。
【００１７】
尚、Ｏリング２６は、溝２４に嵌め込んだときに軸部２３よりもふくらんで、蓋体２７の筒部２９の内径と同じか或いはそれよりも少し大径となるように、溝２４の深さおよびＯリング２６の寸法が決定される。また、Ｏリング２６は、透明でない通常のシリコンゴム等で作られたものでも構わない。
【００１８】
このドアスコープ２を扉１に取り付ける際には、図３に示すように、扉１に設けられた１５乃至２０ｍｍ程度の径を有する開口１０に、例えば室内側１１から本体２１を、室外側１２から蓋体２７をそれぞれ差し込み、軸部２３を筒部２９に挿入する。このとき、軸部２３の先端付近に取り付けられたＯリング２６が筒部２９内を摺動し、本体２１および蓋体２７の両方のリブ部２２，２８がそれぞれ扉１の表面１３，１４に接する位置まで差し込まれたところで止めると、Ｏリング２６が、その復元力によって筒部２９の内壁に密着し、軸部２３が固定される。従って、任意の位置で固定することができるので、ドアスコープ２の長さを任意に設定でき、さまざまな厚さの扉１に用いることができる。
【００１９】
尚、通常、開口１０は蓋体２７の筒部２９の外径に合わせて形成されるため、本体２１を差し込んだときに中心軸線がぶれないように、本体２１の軸部２３の基端部の対向位置に、突起２５，２５を形成することが好ましい。或いは、突起２５，２５を設けずに、開口１０の室内側１１端部を本体２１の軸部２３の外径に合わせ、途中から拡径して、室外側１２の端部を蓋体２７の筒部２９の外径に合わせて形成してもよい。
【００２０】
以上のようにして開口１０に嵌め込まれたドアスコープ２を通して、室内側１１から室外側１２へ、或いはその逆方向へ、互いに光を視認できるようになっている。
【００２１】
図４乃至図６は本発明の異なる実施の形態を示し、扉１の座５に取り付けるタイプのドアスコープ４を示したものである。
【００２２】
座５の上部には取手３が取り付けられており、取手３の下部に、ドアスコープ４がはめ込まれている。扉１には、錠の内部構造を設置するためや、或いは取手３の支持軸を貫通させるために、中空部２０が設けられており、ドアスコープ４は、図５に示すように、室内側１１および室外側１２それぞれの座５，５を貫通する開口５０，５０を塞ぐようにして嵌め込まれている。こうして、室内側１１から室外側１２へ、或いはその逆方向へ、ドアスコープ４を通して互いに光を視認できるようになっている。
【００２３】
このドアスコープ４は、前記のドアスコープ２と同様、高透光性の硬質樹脂で形成され、図６に示すように本体６と蓋体７とからなり、それぞれのリブ部６１，７１は、レンズによって形成されている。
【００２４】
そして、本体６のリブ部６１と軸部６５との間には、基端側から順に環状の溝部６２、段部６３、および傾斜部６４が連続して形成されており、本体６の先端を座５の開口５０から差し込んだときに、傾斜部６４に沿って本体６が挿入され、開口５０の端縁と溝部６２とが嵌合することによって、本体６が固定されるようになっている。このため、溝部６２の軸線方向の長さは、座５の厚さとほぼ同じとされ、段部６３は、座５の開口５０よりも僅かに大径に形成される。
【００２５】
また、蓋体７は、リブ部７１に連続して、本体６の軸部６５が挿入される筒部７５が形成されているとともに、リブ部７１と筒部７５との間に、順に環状の溝部７２、段部７３、および傾斜部７４が形成されており、本体６と同様、溝部７２の軸線方向は座５の厚さとほぼ同じとされ、蓋体７を座５の開口５０に差し込んだときに、傾斜部７４に沿って挿入されて、開口５０の端縁と溝部７２とが嵌合することによって固定されるようになっている。
【００２６】
更に、本体６の先端付近に全周に溝６６が設けられ、その溝６６に弾性体からなるＯリング６７が嵌め込まれていること、および、このドアスコープ４の本体６と蓋体７との接合方法は、前記の実施の形態と同様である。
【００２７】
尚、上記の両実施の形態において、本体２１，６と蓋体２７，７とは、どちらを室内側１１または室外側１２として用いても構わない。
【００２８】
また、本体２１，６および蓋体２７，７の両方のリブ部２２，２８，６１，７１をレンズとしなくても、いずれか片方、例えば室外側１２のみをレンズにしても、集光効果を得ることができる。
【００２９】
更に、室外側１２に位置するリブ部を、例えば赤や緑などの色を付けた透明体またはレンズとすれば、周囲の灯りと明瞭に区別されて、遠くからでも認識しやすくなる。
【００３０】
【発明の効果】
本発明によると、扉の内部を光が伝達されるので、光の吸収等による光量の損失が少なく、十分に光を伝えることができる。従って、電気配線等を必要とせず、簡単な構造で、窓のない扉で仕切られた室内が点灯されているかどうかを、暗い場所でも室外から容易に視認することができる。しかも、光だけを通過させて透視は不可能なので、プライバシーを守ることができる。
【００３１】
そして、本発明のドアスコープは構造が簡単で製造コストが低いうえ、本体を蓋体に挿入するだけで密着固定されるので、取り付けおよび取り外しが簡単である。また、Ｏリングが筒部の内壁を押さえ付けることによって、任意の位置で固定されるので、ドアスコープを無段階に任意の長さとすることができ、さまざまな厚さの扉に用いることができる。
【００３２】
そのうえ、既存の扉に小さい開口を設けて嵌め込んだり、ドアスコープを嵌め込んだ座に交換すれば、扉の意匠や性能を損ねることなく、どのような扉にも簡単に用いることができる。
【００３３】
また、Ｏリングを透明体とすれば、ドアスコープ内を透過する光量の損失を少なくすることができて、一層光の視認性が増す。
【００３４】
更に、ドアスコープの少なくとも一方をレンズとすれば、集光されることによって、光が視認しやすくなる。
【図面の簡単な説明】
【図１】本発明のドアスコープを取り付けた扉を示す斜視図である。
【図２】本発明の実施の形態を示す斜視図である。
【図３】図２のドアスコープの取付状態を示す縦断面図である。
【図４】本発明のドアスコープを取り付けた扉の異なる例を示す斜視図である。
【図５】図４の座部分の拡大縦断面図である。
【図６】図５で用いられる本発明の異なる実施の形態を示す縦断面図である。
【図７】従来例を示す斜視図である。
【符号の説明】
１  扉、２，４  ドアスコープ、３  取手、１０  開口、１１  室内側、１２室外側、２１  本体、２２，２８  リブ部、２３  軸部、２４  溝、２５  突起、２６  Ｏリング、２７  蓋体、２９  筒部
【図１】
0003965255.tif 000002
【図２】
0003965255.tif 000003
【図３】
0003965255.tif 000004
【図４】
0003965255.tif 000005
【図５】
0003965255.tif 000006
【図６】
0003965255.tif 000007
【図７】
0003965255.tif 000008